【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
接着剤粒子を収納するとともに接着剤メルターへ移動させるための接着剤容器であって、
側壁を有し、接着剤粒子を収納する内部空間を画定する供給ホッパーと、
入口を画定するポンプハウジングを有する移送ポンプであって、前記ポンプハウジングが前記供給ホッパーの前記内部空間内に延在するように前記供給ホッパーに動作可能に接続されており、前記入口において真空をつくり出して前記供給ホッパーからの前記接着剤粒子の取出しを行うように動作可能な移送ポンプと、
前記側壁に連結されるとともに前記供給ホッパーの前記内部空間内に延在する囲い板であって、前記入口の真上に位置する接着剤粒子の安定した最小深さを維持するように前記入口の少なくとも一部分を囲む囲い板と、
を備える接着剤容器。
【請求項２】
前記ポンプハウジング及び前記囲い板は、前記側壁から前記内部空間内に延在している請求項１に記載の接着剤容器。
【請求項３】
前記囲い板は、複数の接続されたパネルを有する請求項１に記載の接着剤容器。
【請求項４】
前記囲い板は、前記側壁から前記ポンプハウジングの周囲に延在し、それによって、前記囲い板、前記ポンプハウジング及び前記側壁が共同して前記内部空間内に位置する開放空間を画定しており、
前記開放空間は、前記内部空間に接着剤粒子が充填されているときに前記入口近傍の或る量の補給気体を同伴するように構成されている請求項１に記載の接着剤容器。
【請求項５】
前記囲い板を振動させるとともに前記入口近傍で前記接着剤粒子の振動を引き起こすように前記囲い板に動作可能に連結された振動装置を更に備える請求項１に記載の接着剤容器。
【請求項６】
前記振動装置及び前記囲い板は、前記側壁に連結され、
前記振動装置は、前記側壁を振動させて前記囲い板の振動を引き起こすように構成されている請求項５に記載の接着剤容器。
【請求項７】
気体供給源に流体接続するように構成されているとともに気体出口を画定する気体導管であって、前記気体出口は、前記入口近傍に配置され、前記移送ポンプにより前記真空をつくり出す際に前記供給ホッパーの前記内部空間内に追加量の補給気体を供給するように構成されている気体導管を更に備える請求項１に記載の接着剤容器。
【請求項８】
前記気体供給源に流体接続するように構成された振動装置を更に備え、
前記気体供給源は、前記囲い板を振動させるために前記振動装置を駆動し、
前記振動装置は、前記振動装置の駆動につづいて供給気体を前記気体出口へ排出するように前記気体導管へ流体接続されている請求項７に記載の接着剤容器。
【請求項９】
前記囲い板は、前記側壁から前記ポンプハウジングの周囲に延在し、それによって、前記囲い板、前記ポンプハウジング及び前記側壁が共同して前記内部空間内に位置する開放空間を画定しており、
前記開放空間は、前記内部空間に接着剤粒子が充填されているときに前記入口近傍の或る量の補給気体を同伴するように構成されており、
前記気体導管は、概ね前記開放空間内で前記入口近傍に追加量の補給気体を供給するように前記開放空間内に少なくとも部分的に延在している請求項８に記載の接着剤容器。
【請求項１０】
接着剤粒子を収納するとともに接着剤メルターへ移動させるための接着剤容器であって、
側壁を有し、接着剤粒子を収納する内部空間を画定する供給ホッパーと、
入口を画定するポンプハウジングを有する移送ポンプであって、前記ポンプハウジングが前記供給ホッパーの前記内部空間内に延在するように前記供給ホッパーに動作可能に接続されており、前記入口において真空をつくり出して前記供給ホッパーからの前記接着剤粒子の取出しを行うように動作可能な移送ポンプと、
気体供給源に流体接続するように構成され、前記気体供給源より駆動される振動装置と、
前記振動装置から供給気体を受け取るように前記振動装置に流体接続されているとともに気体出口を画定する気体導管であって、前記気体出口は、前記入口近傍に配置され、前記供給気体を前記入口近傍の前記接着剤粒子の周囲に位置する補給気体として排出する気体導管と、
を備える接着剤容器。
【請求項１１】
接着剤粒子を収納するとともに接着剤メルターへ移動させる方法であって、
供給ホッパーの内部空間に接着剤粒子を充填することと、
移送ポンプを駆動して前記移送ポンプの入口に真空をつくり出して前記供給ホッパーからの前記接着剤粒子の取出しを行うことと、
前記供給ホッパーの前記内部空間内に配置された囲い板により前記入口の真上に位置する前記接着剤粒子の安定した最小深さを維持することと、
を含み、
前記安定した最小深さは、前記供給ホッパー内の接着剤粒子の全体の可変深さよりも浅い方法。
【請求項１２】
前記囲い板により少なくとも部分的に画定された開放空間内に或る量の補給気体を同伴させることを含み、
前記開放空間は、前記移送ポンプの前記入口近傍にあり、それによって、前記入口近傍で前記接着剤粒子の周囲に位置する或る量の補給気体が増加する請求項１１に記載の方法。
【請求項１３】
前記囲い板によりポンプハウジングの周囲から接着剤粒子をそらすことを更に含む請求項１１に記載の方法。
【請求項１４】
前記移送ポンプの前記入口近傍で前記接着剤粒子の振動を引き起こすために前記囲い板を振動させることを更に含む請求項１１に記載の方法。
【請求項１５】
前記入口近傍の前記接着剤粒子の周囲に位置する追加量の補給気体を増加させるために前記移送ポンプの前記入口近傍に供給気体を排出することを更に含む請求項１１に記載の方法。
【請求項１６】
振動装置は、気体供給源に動作可能に接続されるように構成されており、
前記方法は、
前記供給気体により前記振動装置を動作させることと、
前記移送ポンプの前記入口近傍に前記供給気体を排出するように前記振動装置から前記供給気体を送ることと、
を更に含む請求項１５に記載の方法。
【請求項１７】
容器に連通するポンプ入口が設けられた移送ポンプを用いて接着剤粒子を収納するとともに接着剤メルターへ移動させる方法であって、
前記容器の内部空間に接着剤粒子を受けることと、
前記容器の前記内部空間内の前記ポンプ入口近傍に、前記移送ポンプにより引き出されるべき気体を同伴し前記接着剤粒子により満たされていない開放空間を維持することと、
前記接着剤メルターへ排出できるように前記容器から前記接着剤粒子を取り出す真空を前記ポンプ入口につくりだすために前記移送ポンプを駆動することと、
を含む方法。
【請求項１８】
前記開放空間を維持することは、
前記接着剤粒子が前記開放空間を満たすことを防ぐために前記内部空間内の前記接着剤粒子の流れを制御することを含む請求項１７に記載の方法。
【請求項１９】
前記ポンプ入口近傍の前記接着剤粒子の凝集を低減し流動化させるために前記ポンプ入口近傍の前記内部空間内の前記接着剤粒子を撹拌することを更に含む請求項１７に記載の方法。
【請求項２０】
前記接着剤粒子を撹拌することは、
前記容器に動作可能に連結されている振動装置により前記接着剤粒子を振動させることを含む請求項１９に記載の方法。
【請求項２１】
前記振動装置は、空気駆動であり、
前記方法は、
前記ポンプ入口近傍の前記接着剤粒子の周囲に位置する追加量の補給気体を増大させるために前記振動装置を駆動するために用いられる供給気体を前記開放空間内へ排出することを更に含む請求項２０に記載の方法。